(57)【要約】【課題】水回り設備等の建築工事と給排水管または電気配線等の設備工事との取り合いを低減させて効率よく集約設備を設置できる。【解決手段】集約設備１は床仕上面に設置した起立ユニット３と横方向に延びる天井ユニットを備えた。起立ユニット３内には浴槽８に接続した第一排水ポンプと第一排水管を設置し、便器１０に接続した第二排水ポンプと第二排水管も設置した。起立ユニット３の側面に、水回り設備Ｍとして浴槽８、便器１０、キッチン本体３０、洗面台３３等を放射状に連結した。起立ユニット３の側面に設けた連結凹部に浴槽８等の水回り設備に設けた連結凸部を嵌合し電気的にも接続した。起立ユニット３内に分電盤を収容し、分電盤の電気配線をインターフェースを介して浴槽８や便器１０等のコネクタに接続する電気配線に接続した。【選択図】図３
2018017007.tif 000002
【特許請求の範囲】
【請求項１】
少なくとも給水管及び排水管を収容していると共に、前記給水管と排水管の少なくとも一方を接続させる水回り設備を固定可能な連結部を備えたことを特徴とする集約設備。
【請求項２】
少なくとも給水管及び排水管を収容していると共に、外部から延びる幹線に接続された分電盤を収容していることを特徴とする集約設備。
【請求項３】
前記分電盤から延びる電気配線と側部に設置可能な水回り設備に接続される電気配線とがインターフェースを介して接続されている請求項２に記載された集約設備。
【請求項４】
電気配線と換気ダクトが更に収容されている請求項１または２に記載された集約設備。
【請求項５】
前記排水管に接続された排水ポンプが設けられている請求項１から４のいずれか１項に記載された集約設備。
【請求項６】
前記集約設備はパネルで仕切られており、前記パネルに水回り設備を連結する連結部が設けられている請求項１から５のいずれか１項に記載された集約設備。
【請求項７】
前記給水管及び排水管は上下方向に延びる起立ユニットに収容されており、該起立ユニットの上部から前記給水管及び排水管を取り出して外部に延ばした請求項１から６のいずれか１項に記載された集約設備。
【請求項８】
前記起立ユニットの上部には前記給水管及び排水管を載置して横方向に延びる天井ユニットが連結されている請求項７に記載された集約設備。
【請求項９】
前記集約設備は側部に水回り設備を放射状に設置可能とした請求項１から８のいずれか１項に記載された集約設備。
【請求項１０】
前記集約設備には照明器具が設置されている請求項１から９のいずれか１項に記載された集約設備。
【請求項１１】
給水管及び排水管と電気配線を収容した集約設備を備えており、
前記集約設備の側部には、前記給水管と排水管の少なくとも一方を接続させる水回り設備が設置され、該水回り設備には前記電気配線が電気的に接続されていることを特徴とする設備ユニット。
【発明の詳細な説明】
【技術分野】
【０００１】
本発明は、例えば建物の居住空間等に設置され、配管等を収納して配置された集約設備及び設備ユニットに関する。
【背景技術】
【０００２】
従来、居住空間において浴室、トイレ室、キッチン、洗面所等の水回り設備はそれぞれ独立させる間取りが一般的であり、これら水回り設備の建築工事と給水管や排水管等の配管敷設工事等の各種の設備工事が個別に必要であり、煩雑であった。即ち、水回り設備を施工するに当たっては建築工事と設備工事の取り合いが多いために、これらの事前打合せに多くの時間がかかっていた。さらに、施工現場においても建築工事と設備工事が錯綜することが多く、また、水回り設備の中でも浴室とトイレ室とでは施工時期が異なることが多いため施工に手間がかかっていた。これに対し、これらの水回り設備を集約して設置する間取りの設備ユニットも提案されている。
【０００３】
例えば、特許文献１に記載された衛生設備ユニットでは、躯体壁に水平フレームと垂直フレームを連結させて設置し、間仕切りパネルで仕切った複数のフレームユニットの各空間内に浴室やトイレ室、キッチン等の水回り設備を設置している。更に各フレームユニットに配管フレームを設置して水回り設備の給排水を行っている。これらの給排水管等は床仕上面の下側に延ばして外部設備に接続している。
【先行技術文献】
【特許文献】
【０００４】
【特許文献１】特許第５７１５４２６号公報
【発明の概要】
【発明が解決しようとする課題】
【０００５】
しかしながら、上述した特許文献１に記載の衛生設備ユニットでは、キッチン、洗面台、浴室等の各種の水回り設備をフレームに設置するユニット構造について開示されているが、これら水回り設備の給水管及び配水管や電気配線等については垂直フレーム、連結フレーム、配管フレーム内に収納させて水回り空間を形成するとしか開示されていなかった。
【０００６】
また、給水管や排水管や電気配線等も個々に敷設しなければならず、給水管や排水管や電気配線等の敷設やメンテナンス等に制約があった。しかも、フレームや水回り設備等の建築工事と給排水管事や電気配線等の設備工事との取り合いが大きく、さらなる施工の効率化が望まれていた。
【０００７】
本発明は、このような課題に鑑みてなされたものであって、フレームや水回り設備等の建築工事と給排水管または電気配線等の設備工事との取り合いを低減させて効率よく設置できるようにした集約設備及び設備ユニットを提供することを目的とする。
【課題を解決するための手段】
【０００８】
本発明による集約設備は、少なくとも給水管及び排水管を収容していると共に、給水管と排水管の少なくとも一方を接続させる水回り設備を固定可能な連結部を備えたことを特徴とする。
本発明によれば、集約設備に給水管や配水管を集約して収容できるため建築工事と設備工事の取り合いが小さく効率的に施工でき、しかも集約設備の側部に設けた連結部を介して水回り設備を連結できるため、集約設備に対して水回り設備の位置決めと固定に調整が不要であり、墨出し等が必要なく簡単で精度良く連結できる。
【０００９】
本発明による集約設備は、少なくとも給水管及び排水管を収容していると共に、外部から延びる幹線に接続された分電盤を収容していることを特徴とする。
本発明は、屋外の配電盤から幹線を介して屋内に設置する分電盤を起立ユニットに設置したため、分電盤とこれに接続された電気配線等を主たる電気系統として集約設備内に集約して配設でき、建築工事と設備工事の取り合いを低減し、工場等で予め分電盤を組み込むことが可能で電気設備の施工が簡単になる。
【００１０】
また、分電盤から延びる電気配線と側部に設置可能な水回り設備に接続される電気配線とがインターフェースを介して接続されていることが好ましい。
集約設備内で、分電盤から延びる電気配線と水回り設備から集約設備内に延びる電気配線とをインターフェースで接続できるため、電気配線の敷設に電気工事士等の専門技術者がいなくても簡単に取り付けできる。
【００１１】
また、集約設備内に電気配線と換気ダクトが更に収容されていることが好ましい。
集約設備には電気配線と換気ダクトも収納されているため、集約設備内で各設備を一層集約できて外観をより単純化できる。
【００１２】
また、排水管に接続された排水ポンプが設けられていてもよい。
集約設備内で排水管に排水ポンプを接続することで水回り設備から回収した排水を上方に送って排出できるため、床仕上面の下側に排水設備を設置する必要がなく、集約設備の施工が簡単で済む。
【００１３】
また、集約設備はパネルで仕切られており、パネルに水回り設備を連結する連結部が設けられていてもよい。
集約設備の壁面を形成するパネルに設けた連結部で水回り設備を取り付けできるので、水回り設備の位置決めが簡単であり位置の調整が不要である。
【００１４】
また、給水管及び排水管は上下方向に延びる起立ユニットに収容されており、該起立ユニットの上部から給水管及び排水管を取り出して外部に延ばしてもよい。
給水管及び排水管を集約設備の起立ユニット内に収容し、その上端部から横方向に延ばして外部の配管に接続することで水回り設備の排水を天井側に向けて排水でき、集約設備の床仕上面下側に排水設備を設置することなく排水できる。
【００１５】
また、起立ユニットの上部には給水管及び排水管を載置して横方向に延びる天井ユニットが連結されていてもよい。
起立ユニット内の上端部に延ばした給水管及び排水管を、天井ユニットに載置して横方向に延ばすことで、給水管や排水管を下側から目視できないので見栄えが良い。
【００１６】
また、集約設備は側部に水回り設備を放射状に設置可能としてもよい。
集約設備の側部に水回り設備を放射状に設置できることで省スペースで設置強度が高くなる。
【００１７】
また、集約設備には照明器具が設置されていてもよい。
集約設備の内部に配設された電気配線を通して起立ユニット照明器具を設置できるので、構成がシンプルで省スペースであり見栄えがよい。
【００１８】
本発明による設備ユニットは、給水管及び排水管と電気配線を収容した集約設備を備えており、集約設備の側部には、給水管と排水管の少なくとも一方を接続させる水回り設備が設置され、該水回り設備には電気配線が電気的に接続されていることを特徴とする。
集約設備の側部に水回り設備を設置するに際し、水回り設備に連結する給水管や排水管と電気配線とを起立ユニット内に集約させて収容できるため、建築工事と設備工事の取り合いを減らすことができる。
【発明の効果】
【００１９】
本発明による集約設備によれば、集約設備に給水管や配水管を集約して収容できるため設備工事と建築工事の取り合いが小さく効率的に施工できる。また、集約設備の側部に連結部を介して水回り設備を連結できるため、集約設備に対して水回り設備の位置決めと固定に調整が不要であり、簡単で精度良く連結できるため設備ユニットの品質が安定する。
【００２０】
本発明による集約設備は、分電盤を集約設備に設置したため分電盤と電気配線等を集約できることになり、工場等で予め分電盤を組み込むことが可能になり施工が簡単である。しかも、配管や電気設備等の設備工事と躯体やフレーム等の建築工事との取り合いを低減させることができる。
【００２１】
本発明による設備ユニットは、水回り設備に連結する給水管や排水管と電気配線とを集約設備内に集約させて収容できて、建築工事と設備工事の取り合いを減らすことができる。
【図面の簡単な説明】
【００２２】
【図１】本発明の実施形態による設備ユニットを居室内の床仕上面に設置した状態を示す模式図である。
【図２】実施形態による設備ユニットの斜視図である。
【図３】図２に示す設備ユニットにおいて起立ユニットの周囲に水回り設備を備えた平面図である。
【図４】起立ユニットの両側にトイレと浴室を設置した構成を示す説明図である。
【図５】設備ユニットをトイレ側から見た側面図である。
【図６】起立ユニットと天井ユニットを備えた集約設備の内部構造を示す説明図である。
【図７】起立ユニットと浴槽との連結構造を示す説明図である。
【図８】設備ユニットを浴室側から見た一部破断側面図である。
【図９】天井ユニットと浴室の開閉扉を示す要部縦断面図である。
【図１０】図９に示す開閉扉の吊り構造のＡ部拡大図である。
【図１１】（ａ），（ｂ）は天井ユニットの変形例を示す断面図である。
【発明を実施するための形態】
【００２３】
以下、本発明の実施形態による設備ユニットＳを添付図面によって説明する。
図１は実施形態による設備ユニットＳをマンション等の各種の建物内に設けた居室空間Ｋに設置した模式図である。図１において、建物内の住居の居室空間Ｋ内に水回り設備Ｍを備えた設備ユニットＳが設置されている。設備ユニットＳは給排水管等の各種配管やダクト、電気設備等を収容した集約設備１とその周囲に設けた１または複数の水回り設備Ｍとで構成されており、設備ユニットＳは居住空間Ｋ内の任意の位置で床仕上面２上に設置できる。
図２乃至図５は実施形態による設備ユニットＳを示すものである。図２に示す設備ユニットＳに設けた集約設備１は、床仕上面２から起立する起立ユニット３とその上部に設けた天井ユニット４とで略Ｌ字形に形成されている。起立ユニット３は例えば浴槽８や便器１０等の各種の水回り設備Ｍを支持する塔状構造体であり、水平断面が縦横方向にそれぞれ所定幅を有する中空の筒体で形成され、床仕上面２から自立して鉛直方向に延びている。
【００２４】
天井ユニット４は水平方向に配設されていて断面略Ｕ字状に形成されて上部が開放されており、起立ユニット３の上端部に連結されている。起立ユニット３と天井ユニット４のコーナー部において、各配管は例えばＬ字管を介して連結され、天井ユニット４上の他端は居住空間Ｋの壁面を通して設備用の縦管を収納するパイプシャフトに格納された給水管や排水管などにそれぞれ接続されている。或いは、天井ユニット４は壁面と非接触に支持されていてもよい。天井ユニット４は図示しない天井面をなす天井スラブの梁からわずかに隙間を開けて下側に設置されているが、天井面に当接して設置してもよい。なお、図１に示す集約設備１では天井ユニット４は含まれていない。
【００２５】
起立ユニット３や天井ユニット４は例えば略四角形筒枠や略Ｕ字枠等のフレームをパネルで覆った筒状や枠状にした構成でもよいし、或いはフレームを用いることなく高剛性パネルだけで四面や三面を形成したフレームレス構造でもよい。また、起立ユニット３や天井ユニット４は略四角形筒状や断面略Ｕ字枠状に限定されるものではなく、略円筒状でもよいし他の多角形筒状でもよく、その断面形状は任意に設定できる。
本実施形態における起立ユニット３は例えば角筒状とされ、各角部に設けた補強用のフレーム３ａと壁面をなすパネル材３ｂとで構成されている（図３、図６参照）。また、天井ユニット４は起立ユニット３の上端側面に接続されている。
【００２６】
天井面と天井ユニット４との間に適宜の隙間を設置した方が、天井が高く見えるため好ましい。天井面は突出する梁や施工誤差等の関係で水平でない場合があり、天井ユニット４を天井面から離すことで水平に設置することができる。しかも、天井面と天井ユニット４との間に隙間を設けると後述するように天井ユニット４に配設した各種配管や換気ダクト２１等のメンテナンスを行いやすい。
また、床仕上面２から天井ユニット４までの距離は適宜設定できるが、一例をいえば、２１１８ｍｍ〜１７２０ｍｍの範囲、或いは２１１８ｍｍ〜１８３０ｍｍの範囲に設定できる。
【００２７】
集約設備１における起立ユニット３及び天井ユニット４の投影面内の空間には起立ユニット３に例えば浴槽８が設置されている。浴槽８は起立ユニット３に対して床仕上面２上に固定されていてもよいし、図示しない回動軸を介して起立ユニット３に沿った起立位置と床仕上面２上に設置した倒伏位置との間で回動可能に連結されていてもよい。図１は浴槽８を収納した起立状態を示している。浴槽８の上方には天井ユニット４が設置されており、これが浴槽８の天井になる。
【００２８】
起立ユニット３と浴槽８の連結構造が図７に示されている。図７において、起立ユニット３のパネル材３ｂには連結凹部９が形成され、浴槽８の短片側の側部には連結凹部９に嵌合する連結凸部１３が形成されている。連結凹部９と連結凸部１３とで連結部を構成する。起立ユニット３の連結凹部９に浴槽８の連結凸部１３を嵌合させることで浴槽８を高精度に位置決めして連結固定できる。しかも、連結凹部９と連結凸部１３は嵌合状態で図示しない爪部やねじ締め等によって浴槽８が離脱しないよう起立ユニット３に固定してもよい。なお、起立ユニット３に連結凸部１３を設け、浴槽８に連結凹部９を設けてもよい。
また、連結凹部９と連結凸部１３にはそれぞれ通電用のコネクタｔ１、ｔ２が配設され、連結凹部９と連結凸部１３の嵌合状態でコネクタｔ１とｔ２が電気的に接合されて通電状態になる。
【００２９】
また、図３乃至図５に示すように、起立ユニット３の浴槽８と反対側の側面には水洗便器等の便器１０が固定されている。図４に示す例では便器１０は床仕上面２より上側に浮いて起立ユニット３の側面に固定されているが、床仕上面２上に設置固定されていてもよい。また、便器１０は例えば図示しない回動軸回りに起立及び倒伏可能に支持され、起立ユニット３にその一部が収納可能であってもよい。浴槽８と便器１０は集約設備１に設置された水回り設備Ｍである。
【００３０】
また、図３において、起立ユニット３の両側面には例えばパネル状の側壁１２ａ、１２ｂが略平行に配列されている。側壁１２ａ、１２ｂは所定厚みを有する壁体で、フレーム材とパネル材とで構成された構造部材である。この側壁１２ａ、１２ｂによって、起立ユニット３を補強しており、延在方向の一方の端部では浴槽８の起立ユニット３側の一部を囲っている。
側壁１２ａ、１２ｂの他方の端部は起立ユニット３の浴槽８と反対側に延びて便器１０の両側部を仕切る空間を形成し、この空間はトイレ室１６を形成する。トイレ室１６の先端開口にトイレ扉１１が開閉可能に取り付けられている。なお、トイレ扉１１は設置しなくてもよい。
【００３１】
起立ユニット３の一方の側面に連結された一方の側壁１２ａの外側において、その下部には流し台やガス台等を有する下部キャビネット２９を備えたキッチン本体３０がキッチンとして設置されている。図５に示すように、キッチン本体３０の上方には側壁１２ａの上部に上部キャビネット３１が取り付けられている。また、起立ユニット３の他方の側面に連結された他方の側壁１２ｂの外側において、その下部に洗面ボウル等を有する洗面台３３が取り付けられている。キッチン本体３０や洗面台３３も水回り設備Ｍである。
なお、これらの水回り設備Ｍは、起立ユニット３との関係で浴槽８と同様にそれぞれ連結凹部９と連結凸部１３からなる連結部を有するものとする。
【００３２】
また、図４及び図６に示す集約設備１において、浴槽８内の排水は排水管を介して略角筒状の起立ユニット３内に設置した第一排水ポンプ(圧送ポンプ)Ｐ１に供給され、第一排水管１７を介して起立ユニット３及び天井ユニット４を通して外部に排出される。また、第一排水ポンプ(圧送ポンプ)Ｐ１には、キッチン本体３０や洗面台３３の排水管も接続されている。
第一排水ポンプ(圧送ポンプ)Ｐ１は排水や排水中のごみ等の物体をインペラ(羽根車)で砕く等して第一排水管１７を通して上方に圧送する。この第一排水管１７は起立ユニット３内を上方に延びて略９０度方向を変えて断面略Ｕ字状の天井ユニット４上を横方向に延びて外部に突出している。
【００３３】
また、便器１０内の汚物や汚水を含む排水は排水管を介して起立ユニット３内の第二排水ポンプ(圧送ポンプ)Ｐ２に排出され、第二排水管１８を介して外部に排出される。第二排水ポンプＰ２は、排水中の汚物等をインペラ(羽根車)で砕く等して第二排水管１８の上方に圧送する。この第二排水管１８は第一排水管１７と同様に、起立ユニット３内を上方に延びて略９０度方向を変えて天井ユニット４上を横方向に延びて外部に突出している。
なお、第一排水ポンプＰ１および第二排水ポンプＰ２には小型のタンクが設けられており、各ポンプＰ１，Ｐ２は例えばタンクに貯留した排水の水位によってＯＮ／ＯＦＦ制御されるように構成されている。
【００３４】
起立ユニット３及び天井ユニット４内には、浴槽８やキッチン本体３０等に給湯を行う給湯管１９と、浴槽８や便器１０、更にはキッチン本体３０や洗面台３３の水道の蛇口等に給水を行う給水管２０とが収容されている。
起立ユニット３及び天井ユニット４内には、浴室１５やキッチン本体３０を換気するための換気ダクト２１が収容されている。トイレ室１６内では、便器１０の下側付近に開口２２ａを有していて臭気を吸引し排気する排気ダクト２２も設置されている。これら換気ダクト２１や排気ダクト２２も起立ユニット３及び天井ユニット４を通って外部に延びている。なお、換気ダクト２１に設けられる換気ファンや排気ダクト２２に設けられる排気ファンは適宜の位置に設置されていればよく、例えば、起立ユニット３内に設置されていれもよいし、天井ユニット４内や外部に設置されていてもよい。
【００３５】
また、キッチン本体３０の上部には上部キャビネット３１の一部に代えて空調機２３が側壁１２ａに設置されていてもよい。空調機２３の送風は、例えば冷気は空調機２３の吹き出し口から直接室内に送風してもよい。一方、温風は起立ユニット３内に上下方向に配設した図示しない空調ダクトを通して床仕上面近傍または足元から排気するように構成してもよい。
集約設備１内には、浴槽８や便器１０、キッチン本体３０や洗面台３３等に給電したり信号送受信したりするための電気配線(配線)２４も束ねて設置されているが、これら電気配線２４は配線配管２５内に通線していてもよいし、或いは配線配管２５を用いずに、束ねてまたは個別に配設していてもよい。また、これらの配管以外に空調用の配管（冷媒配管）、ガス管等を含んでいてもよい。
【００３６】
なお、各配管や換気ダクト２１、排気ダクト２２等の断面形状は任意であり、天井ユニット４の高さを圧縮するために楕円形や長方形等の扁平な断面形状の配管やダクト等を採用してもよい。また、図６や図８において、本実施形態では、天井ユニット４を断面略Ｕ字状に形成して上部を天井側に開放したため、各配管や換気ダクト２１や排気ダクト２２や電気配線等を取り出し易くメンテナンスや交換等が容易になる。なお、天井ユニット４の上面に開閉可能な蓋を設置すれば、埃やごみ等の付着を防いで各部材のメンテナンスや交換等を容易に行える。
【００３７】
次に、浴室１５の扉開閉構造について図３及び図４、図８乃至図１０によって説明する。
図３及び図４、図８及び図９において、天井ユニット４の下面の幅方向両端部には例えば２対のガラス扉からなる開閉扉３５が吊り下げ機構３６によってスライド可能に吊り下げられている。図３及び図４、図８において、２対の開閉扉３５は起立ユニット３側の側壁１２ａ、１２ｂの内側と浴槽８の外側(居住空間Ｋの壁面側)端部との間でそれぞれスライド可能に配設されている。なお、浴槽８の外側端部に目隠し用の間仕切り等を設けてもよい。
【００３８】
開閉扉３５が、浴室１５の両側を仕切る側壁１２ａ、１２ｂと浴槽８の外側端部との間の空間をスライドすることで浴室１５の開放空間Ｏを開閉できる。例えば、一対の開閉扉３５を浴槽８の外側端部にスライドさせることで、開放空間Ｏの開口を通して入浴者が浴槽８に出入り可能となる。
図９において、吊り下げ機構３６は、平面視略長方形の浴槽８を仕切る一対の長辺側部８ａに対向する天井ユニット４の下面両側にそれぞれ設置されている。開閉扉３５の外側には側壁１２ａ、１２ｂ上にタイルパネル３４が貼り付けられている。
【００３９】
次に、図９及び図１０によって、開閉扉３５の吊り下げ機構３６について詳述する。
図９及び図１０において、天井ユニット４の下面の幅方向両端部に設けた一対のレール受け部４０が天井ユニット４の長手方向に延びており、この一対のレール受け部４０には浴室１５の両側に沿ってスライド可能な開閉扉３５の各複数対の車輪４４が設置されている。浴槽８の外側端部と側壁１２ａ、１２ｂの間の浴室１５の開放空間Ｏを各一対の開閉扉３５で開閉可能とされている(図４参照)。
図１０に示す吊り下げ機構３６の拡大図において、天井ユニット４の幅方向両端下面には上部枠体３７の下面にねじ止めされた下部枠体３８が設置されている。下部枠体３８内の上部には中央開口４０ｂを挟んで両側に一対のレール部４０ａが形成されたレール受け部４０が長手方向に沿って延びている。
【００４０】
一方、開閉扉３５の上端部を両面側から挟んで支持する一対の支持部４２の上部に支持軸４３が突出形成されている。この支持軸４３は中央開口４０ｂを通してレール受け部４０から下方の支持部４２に延びており、支持軸４３の上部両側にはレール部４０ａに載置されて摺動可能な一対の車輪４４が支持されている。
一対の支持部４２で挟持されて吊り下げられた開閉扉３５は下方に垂下されており、図９に示すように、その下端部は浴槽８の長辺側部８ａの天端に設けた受け溝４６内に納められている。そのため、開閉扉３５を天井ユニット４のレール受け部４０に沿ってスライド移動させると、浴槽８の受け溝４６にガイドされて摺動して開閉作動する。
【００４１】
なお、浴槽８の両側の長辺側部８ａに設けた受け溝４６は浴槽８の外側端部から起立ユニット３側に向けてわずかに下方傾斜しており、受け溝４６内に落ち込んだ湯や水は起立ユニット３側に流れて浴槽８内に落下するように形成されている。また、受け溝４６に流れ込んだ湯や水は、起立ユニット３側に流れて浴槽８の上面と起立ユニット３との隙間からその下方に設けた排水パンに誘導して起立ユニット３内の排水管に接続して排水するようにしてもよい。なお、受け溝４６は、浴槽８の上縁面に形成される溝としたが、これに限られることなく、断面コ字状のレールを設けてもよい。
また、レール受け部４０の起立ユニット３から離間した外側端部には開閉扉３５が外れることを阻止するための図示しないストッパーが設けられている。
【００４２】
また、集約設備１における各配管等を収納した天井ユニット４は必ずしも断面略Ｕ字状に形成されていなくてもよい。例えば、図１１（ａ）に示すように断面略矩形状の筒型に形成されていてもよいし、或いは図１１（ｂ）に示すように平板状等の載置面に形成されていてもよい。いずれの場合でも、天井ユニット４は第一排水管１７や第二排水管１８や給湯管１９や給水管２０や換気ダクト２１や排気ダクト２２等を居室空間Ｋの床仕上面側から目視できないように配設できればよく、美観を損ねることがない。
【００４３】
次に起立ユニット３内に設置した電気系統について説明する。
図６において、起立ユニット３内には屋外の配電盤から幹線４５を介して接続された分電盤４７が設置され、分電盤４７はリミッターや漏電遮断器や安全ブレーカー等を備えている。複数の安全ブレーカー４８から引き出された複数の電気配線２４は各水回り設備Ｍの電気設備や照明器具等から延びる電気配線２４とインターフェース４９を介してそれぞれ接続されている。
例えば、一部の電気配線２４はインターフェース４９を介してパネル材３ｂの連結凹部９に設けたコネクタｔ１に通電され、浴槽８のコネクタｔ２に電気的に接続されている。他の電気配線２４によって各排水ポンプＰ１，Ｐ２内の駆動モータ等に通電できる。また、起立ユニット３のパネル材３ｂに開閉可能な扉を設けて分電盤４７を目視確認できるようにした。なお、天井ユニット４に設置された幹線４５を収納する配線配管２５と、起立ユニット３の分電盤４７の下方に設置された電気配線２４を収納する配線配管２５とが分離して配設されていてもよい。
【００４４】
また、起立ユニット３の各側面には、浴槽８への給湯や温度調整等を行うためのコントロールパネルや便器１０の操作パネル等が設置されていてもよい(図示せず)。起立ユニット３の各側面には、照明、給湯、空調等を制御するスイッチ、コンセント、コントローラー、リモコンや、玄関等の周辺環境の状態を把握し制御するカメラ等の撮影機器または赤外線センサ等の監視機器等を制御する受像機やリモコン等を設置してもよい。そして、集約設備１の内部に収納した複数の電気配線２４等を通して上述したスイッチやリモコン等に電力を供給したり制御信号を入出力したりすることができる。
【００４５】
また、図８に示すように、天井ユニット４等の上部にはＬＥＤ等の照明器具５１が設置され、天井に向けて光を照射し反射させることで居室全体を間接照明することができる。一方、キッチン本体３０や洗面台３３等の下部には、その足元や巾木部分に照明器具５２が設置され、夜間の足元照明とすることができる。また、上部キャビネット３１や洗面台３３の上部棚５３の下面には棚下照明として照明器具５４が設置されている。これらの照明群により、夜間、照明をほのかに照らすことで家の中での移動時の安全性向上等にも貢献する。
また、上述した集約設備１の側面に照明器具等を設置してもよく、例えば起立ユニット３の側面のパネル材３ｂ等に照明器具を設置したり埋め込んだりしてもよい。
【００４６】
更に、起立ユニット３のパネル材３ｂからなる側面やコーナー部の足元付近や腰高付近、そしてキッチン本体３０や洗面台３３の足元付近等にコンセント５６を設置した。これらのコンセント５６は水回り設備Ｍに用いるものではなく、生活家電等の電源として用いることができる。これによって、タコ足配線にならず、腰高に設置することで高齢者等が掃除機等の使用時に使い勝手がよくなる。
通常の建築設計では、建物の施工時にコンセント５６を設置した後、またはある期間生活した後で異なる場所に設置したいと考えることがある。本実施形態では、集約設備１の設置に合わせて最初から使いやすい位置に複数設置されているのでコンセント５６の使いやすい空間を確保できる。
【００４７】
本実施形態においては、起立ユニット３内に設けた第一及び第二排水管１７，１８や給湯管１９や給水管２０等の各種の配管や電気配線２４等は床仕上面に引き込むことなく、床仕上面２側から起立ユニット３を通して立ち上げて天井ユニット４を介して天井側に取り回すように集約した。そのため、集約設備１とその周囲の浴槽８や便器１０やキッチン本体３０や洗面台３３等の水回り設備Ｍを床仕上面２上で適宜位置に選択的に且つ容易に設置できる。そして、天井ユニット４から例えば居住空間Ｋの壁面を通して外部に延ばす等することができて、設置の自由度が高い。
【００４８】
本実施形態による設備ユニットＳは上述した構成を備えており、次にその施工方法について説明する。
まず、建築工事で床仕上面２まで施工する。このとき、床仕上面２の下部（二重床内）には設備配管類は一切設置する必要がないため、建築工事との取り合いがない。続いて、居室空間Ｋ内の適宜の位置に集約設備１の起立ユニット３を床仕上面２上に設置する。居室空間Ｋ内での起立ユニット３の設置位置は中央でもよいし、コーナー部でもよいし、或いはいずれかの壁面に近接または当接する位置に設置してもよい。図１に示す例では居室空間Ｋの中央付近に設置した。起立ユニット３の内部には第一排水ポンプＰ１と第二排水ポンプＰ２が設置されており、第一排水ポンプＰ１に第一排水管１７を接続して上方に延ばしている。同様に第二排水ポンプＰ２に第二排水管１８を接続して上方に延ばしている。
【００４９】
更に、給湯管１９や給水管２０や換気ダクト２１や排気ダクト２２等も同様に収納され、また分電盤４７と電気配線２４も起立ユニット３内に収納されている。なお、起立ユニット３は工場においてフレーム３ａを構築し、その内部に適宜配管・配線・ダクト類や分電盤４７等を取り付けた状態で現場に搬入し、施工現場にて起立ユニット３のパネル材３ｂを取り付けるようにしてもよいし、パネル材３ｂまで工場で取り付けて搬入するようにしてもよい。
【００５０】
図２及び図３において、起立ユニット３は例えば略角筒状であり、その側面に予め設けた連結部の連結凹部９と浴槽８の連結凸部１３によって浴槽８を連結固定し、同時にコネクタｔ１、ｔ２同士も電気的に接続する。これによって、浴室１５の起立ユニット３の側面に設置した操作パネル等が通電状態になり、給湯や追い焚き等の各種の操作を行える。便器１０も同様に連結部で機械的及び電気的に連結固定する。浴槽８の排水管を第一排水ポンプＰ１に、便器１０の排水管を第二排水ポンプＰ２にそれぞれ接続する。また、起立ユニット３の他の対向する側面に設けた連結部にキッチン本体３０と洗面台３３をそれぞれ同様に機械的及び電気的に連結し、その排水管を第一排水ポンプＰ１に接続する。
しかも、起立ユニット３と各水回り設備Ｍとを各連結凹部９と連結凸部１３からなる連結部によって連結することで、各水回り設備Ｍを精度よく取り付けることができ、各水回り設備Ｍを取り付ける際の墨出し等が不要になる。
【００５１】
これらの水回り設備Ｍは起立ユニット３の略角筒状の各側面に放射状に設置して設備ユニットＳを形成する。しかも、各配管等は起立ユニット３を介して天井側に延ばすことで、各水回り設備Ｍの建築工事と設備工事との錯綜や取り合いをなくすことができる。図１に示すように、設備ユニットＳを例えば居室空間Ｋの中央付近に設置することで、その周囲を有効活用することができる。
具体的には、設備ユニットＳの周囲をリビングや寝室として利用したり、動線としての通路（廊下）や脱衣スペース、化粧直しのスペースとしても利用したりできる。つまり、余計な間仕切り壁などを設けることなく、居室空間Ｋを最大限有効活用することができる。また、設備ユニットＳを中心に居室空間Ｋを図示しない壁面パネルや家具等で仕切ることで、トイレ室１６や浴室１５や台所や居室や洗面所やその廊下等を区画形成してもよい。
【００５２】
また、起立ユニット３の上端部に天井ユニット４を連結し、天井側に延ばした配管やダクト等を天井ユニット４上に載置する等して横方向にガイドして外部に突出させ外部配管等に連結させる。或いは、予め起立ユニット３に天井ユニット４を連結した略Ｌ字型の集約設備１を居室空間Ｋ内の床仕上面２に設置しておいてもよい。また、天井側に延ばした配管やダクト等は、天井ユニット４を設けない場合(図１参照)でも、天井に沿って横方向に配設することで壁面等を介して外部に突出させてもよい。
このようにして、居室空間Ｋ内の適宜位置に設備ユニットＳを設置できる。
なお、起立ユニット３や各水回り設備Ｍの下面に予め床仕上面２上での滑りをよくする潤滑性の高いボード材（スライダーボード）を固定して置いてもよい。これによって、設備ユニットＳの起立ユニット３や水回り設備Ｍを居室空間Ｋ内に設置したり移動させたりする場合に、重量があっても床仕上面２を傷つけることなくスムーズに移動させることができる。設備ユニットＳを床仕上面２に固定する場合には、ネジ等で取り外し可能に床仕上面２に固定すればよい。
【００５３】
本実施形態による設備ユニットＳの使用方法の一例を説明すると次の通りである。
集約設備１に設置した浴槽８は、使用状態で図２乃至図４に示すように床仕上面２上に設置されている。この状態で、図示しないコントロールパネルまたは操作パネルを操作して集約設備１内の給湯管１９を通して浴槽８内に給湯する。給湯終了後、開閉扉３５を浴槽８の長辺側部８ａに形成した受け溝４６に沿ってスライドして開口することで入浴者が浴室１５内に入って入浴できる。なお、受け溝４６に湯水等が流入したとしても、受け溝４６は起立ユニット３側に傾斜しているために、受け溝４６を経由して浴槽８内に流し込むことができる。
入浴後は浴槽８内の湯を排出させ、第一排水ポンプＰ１によって第一排水管１７を通して天井側に圧送して排水する。
【００５４】
次に、便器１０を使用する場合には、常時、便座を加温できると共に使用後に操作パネルの操作によって局部を洗浄できる。そして、給水管２０からの給水を予め溜めた図示しないタンクからの給水で便器１０内の汚水や汚物等を流し、汚水や汚物等は排水管を介して第二排水ポンプＰ２に設けたタンクに排水される。第二排水ポンプＰ２では汚物や汚水がインペラ等で砕かれた状態で第二排水管１８第を通して天井側に圧送して排水される。キッチン本体３０や洗面台３３においても、同様に給湯管１９や給水管２０から湯や水が給水され、排水として第一排水ポンプＰ１に排出される。
【００５５】
上述したように、本実施形態による集約設備１を備えた設備ユニットＳによれば、天井側に延びる各種配管やダクト等を収納した起立ユニット３を床仕上面２に設置した後で各側面に浴槽８や便器１０等の水回り設備Ｍを連結するようにしたから、起立ユニット３回りに配管等や電気系統を集約して設置できる。しかも、配管等は床仕上面２に引き込んで床下から取り回すことがないため、一層施工工事が容易になる。建築工事と設備工事と配線工事等が錯綜することがなく、取り合いを減らして効率よく施工でき、居住空間Ｋ内での建築全体の工事を軽減し省施工になる。
また、分電盤４７を起立ユニット３内に取り付けて電気配線２４を接続することで、内部の配線系統や周囲に設置した各水回り設備Ｍへの配線、設備ユニットＳの周囲に設置した照明器具の配線やコンセント等の設置等も集約できる。しかも、電気系統の設置に際してインターフェース４９やコンセントｔ１、ｔ２等を接続することで専門の電気工事士等によらず簡単に配電工事ができる。
【００５６】
また、配管やダクトと電気系統等を収容した集約設備１と水回り設備Ｍを設備ユニットＳとしてユニット化し集約して床仕上面２上の任意の位置に設置できるため、生活スタイルの多様化に対応できて住居構造の自由度が高い。しかも、起立ユニット３を中心として放射状に各種の水回り設備Ｍを設置できるため、水回り設備Ｍに隣接する居室スペースや廊下等の通路等を適宜選択できて多様な空間を選択でき、居住空間Ｋ全体に効率的な配置で装備できる。
起立ユニット３に各水回り設備Ｍを連結部で連結できるため、各水回り設備Ｍの位置調整や墨出し等が不要で位置ずれを抑制して施工精度が高い。
【００５７】
また、集約設備１は起立ユニット３が略角筒状であり、天井ユニット４を連結して略Ｌ字状に形成したため、従来のフレームユニット構造と比較して支持強度と剛性が高くねじれに強い。起立ユニット３の両側に構造部材(構造体)となる側壁１２ａ、１２ｂを設置して起立ユニット３の各側面にそれぞれ水回り設備Ｍを連結した構成であるため、一層高い支持強度を有する。
更に、集約設備１の起立ユニット３及び天井ユニット４は断面略筒状で大径の第一及び第二排水管１７，１８や給湯管１９及び給水管２０、そして換気ダクト２１や排気ダクト２２や分電盤４７を含む電気系統等を集約して設置できる。そのため、設備の配設経路がまとまって単純化できて浴槽８や便器１０等の各水回り設備Ｍへの接続とメンテナンスが容易である。また、天井ユニット４は断面略Ｕ字状であるため、各配管等のメンテナンスや交換等が容易である。
【００５８】
なお、本発明による設備ユニットＳは上述した実施形態に限定されるものではなく、本発明の趣旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００５９】
上述した実施形態において、設備ユニットＳの集約設備１内に収納した各種配管を天井側に延ばすように構成したが、本発明では第一及び第二排水管１７，１８や給湯管１９及び給水管２０等の配管は床仕上面２の下側、例えば床仕上面２と床スラブの間の下部空間等に敷設してもよい。この場合には床仕上面２の下側で配管設置工事が必要になる。
なお、配管を床仕上面２に引き込んで床下から取り回す場合、第一及び第二排水管１７，１８において適切な排水勾配が確保できる場合には第一及び第二排水ポンプＰ１，Ｐ２を設置せず、排水を自然流下方式としてもよい。
また、上述した各配管やダクト等の少なくとも一部を集約設備１の起立ユニット３を通して天井側に誘導させ、残りの一部を床下側に誘導するように構成してもよい。
【００６０】
また、設備ユニットＳにおいて、起立ユニット３の各側面に浴槽８、便器１０、キッチン本体３０、洗面台３３を放射状に連結したが、配列は適宜選択できる。また、水回り設備Ｍは、必ずしも浴槽８、便器１０、キッチン本体３０、洗面台３３の４種類全てを設置する必要はなく、任意の１種類以上を設置できればよい。
なお、水回り設備Ｍは上述した４種類のものに限定されるものではなく、適宜の設備を設置できる。例えば、浴槽８に加えて防水パンを設置してもよく、浴槽８の代わりに浴室ユニット、またはシャワーユニットを設置してもよい。さらには、便器１０の代わりにトイレユニットを設置してもよい。全自動洗濯機等を設置してもよい。
また、水回り設備Ｍは、上述した浴槽８、便器１０、キッチン本体３０、洗面台３３等の設備機器に代えて、浴槽８を有する浴室１５、便器１０を有するトイレ室１６、キッチン本体３０を備えた台所、洗面台３３を備えた洗面所等の設備空間としてもよい。
【００６１】
また、集約設備１において、起立ユニット３に必ずしも天井ユニット４を連結する必要はなく、起立ユニット３だけを設置してもよい。この場合、各配管は起立ユニット３の上端から湾曲させて居住空間Ｋの壁面等の適宜方向に延ばせばよい。その際、各配管が大径で湾曲することで通水時等に暴れることを防ぐために略Ｌ字状のエルボー配管を配設してその両端部に分断した配管の各端部をそれぞれ連結してもよい。
【００６２】
なお、起立ユニット３の上部から建物の居住空間Ｋの壁面方向に向かって、あるいは、角筒状の起立ユニット３の４つの側面に対して直交する各方向に配管やダクト等を支持するフレームや天井ユニット４等が設けられていてもよい。また、起立ユニット３から延びるフレームや天井ユニット４等にスライド扉もしくはカーテン等の空間を仕切る機構が取り付けられていてもよい。
フレームや天井ユニット４等に設置したスライド扉やカーテン等の仕切り部材は、未使用時には起立ユニット３の周囲や周辺、もしくは壁面側に収納されたり畳まれたりして設置してもよい。
【００６３】
本発明による設備ユニットＳにおいて、居住空間Ｋを広く使う場合、浴槽８や便器１０やトイレ本体３０や洗面台３３等の水回り設備Ｍが起立ユニット３に対して常設の仕切り壁等のような仕切り部材を設けずにオープンな空間に設定する場合がある。この場合、仕切り部材がないため他人の視線や臭気、湿気や水はね等が周囲に流れたり飛散したりするおそれがある。
【００６４】
上述した問題点を考慮すると、使用時のみ用いる仕切り壁等の仕切り部材を設ける必要がある。
その為、起立ユニット３から延びるフレームもしくは天井ユニット４等にスライド扉やカーテン等を設置することで、設備ユニット３を設けた居住空間Ｋを通常はオープンな空間とし、各種の水回り設備Ｍの使用時にはスライド扉やカーテン等で仕切って浴室１５やトイレ室１６等をクローズに仕切ることができる。そのため、居住空間Ｋを広く、かつ水回りも快適に使用することができる。
しかも、居住空間Ｋ内のこれらのフレームや天井ユニット４にスライド扉やカーテン等のような仕切り部材を設けるだけで良い。また、これらの仕切り部材は、通常時は邪魔にならないように起立ユニット３の周囲、周辺、もしくは居住空間Ｋの壁面側に収納されていても良い。
【符号の説明】
【００６５】
Ｓ  設備ユニット
１  集約設備
３  起立ユニット
４  天井ユニット
８  浴槽
１０  便器
１２ａ、１２ｂ  側壁
１５  浴室
１６  トイレ室
１７  第一排水管
１８  第二排水管
１９  給湯管
２０  給水管
２１  換気ダクト
２２  排気ダクト
２４  電気配線
２５  配線配管
３０  キッチン本体  
３３  洗面台
３５  開閉扉
４７  分電盤
４９  インターフェース
Ｐ１  第一排水ポンプ
Ｐ２  第二排水ポンプ
Ｍ  水回り設備
【図１】
2018017007.tif 000003
【図２】
2018017007.tif 000004
【図３】
2018017007.tif 000005
【図４】
2018017007.tif 000006
【図５】
2018017007.tif 000007
【図６】
2018017007.tif 000008
【図７】
2018017007.tif 000009
【図８】
2018017007.tif 000010
【図９】
2018017007.tif 000011
【図１０】
2018017007.tif 000012
【図１１】
2018017007.tif 000013